(57)【要約】【課題】  簡易な構造で、同種および異種コンクリートの打ち継ぎ目に使用されて十分な応力伝達を行うことが可能であり、このため打ち継ぎ目の強度低下を抑制することが可能な継手部材、コンクリートの接合構造、およびこれを用いた埋設型枠等のコンクリート部材を提供する。【解決手段】  継手板１は平板上の鋼材であり、全長にわたり複数の孔３、孔５が２列に設けられる。孔３はコンクリート１１ａによって埋設され、孔３内にはコンクリート１１ａが回りこむ。すなわち、コンクリート１１ａと継手板１とは一体化される。次いでコンクリート１１ａの上にコンクリート１１ｂを打設する。この際、孔５はコンクリート１１ｂによって埋設され、孔５内にコンクリート１１ｂが回りこむ。すなわち、コンクリート１１ｂと継手板１は一体化される。【選択図】図１
2010053554.tif 000002
【特許請求の範囲】
【請求項１】
コンクリート材の打ち継ぎ目に用いられる継手部材であって、板状の本体と、
前記本体に、少なくとも１列に複数並べられて設けられ、第１のコンクリートに埋設される第１の孔と、
前記第１の孔が設けられた列に略平行に、少なくとも１列に複数並べて設けられ、第２のコンクリートに埋設される第２の孔とを具備することを特徴とするコンクリート材の打ち継ぎ目に用いられる継手部材。
【請求項２】
前記第２のコンクリートは前記第１のコンクリートよりも強度が大きく、
前記第１の孔の孔径は、前記第２の孔の孔径よりも大きく、複数の前記第１の孔の孔ピッチは、複数の前記第２の孔の孔ピッチよりも大きいことを特徴とする請求項１記載のコンクリート材の打ち継ぎ目に用いられる継手部材。
【請求項３】
複数の第１の孔と複数の第２の孔とを有する継手部材が、第１のコンクリートと第２のコンクリートとの打ち継ぎ目に設けられ、
前記第１のコンクリートには複数の第１の孔が埋設され、
前記第２のコンクリートには複数の第２の孔が埋設されることを特徴とするコンクリート材の接合構造。
【請求項４】
前記第２のコンクリートは、前記第１のコンクリートよりも高強度であり、
前記第１の孔の孔径は、前記第２の孔の孔径よりも大きく、複数の前記第１の孔の孔ピッチは、複数の前記第２の孔の孔ピッチよりも大きいことを特徴とする請求項３記載のコンクリート材の接合構造。
【請求項５】
複数の第１の孔と、複数の第２の孔とを有する継手部材と、
前記第２の孔が埋設されたコンクリート部とを具備し、
前記第１の孔は、前記コンクリートから露出しており、他のコンクリートに埋設可能であることを特徴とするコンクリート部材。
【請求項６】
前記第２の孔が埋設された前記コンクリート部と、前記第１の孔が埋設される前記他のコンクリートとの強度が異なり、
前記第１の孔の孔径と前記第２の孔の孔径が異なり、複数の前記第１の孔の孔ピッチは、複数の前記第２の孔の孔ピッチと異なることを特徴とする請求項５記載のコンクリート部材。
【請求項７】
前記第１の孔の孔径は、前記第２の孔の孔径よりも大きく、
複数の前記第１の孔の孔ピッチは、複数の前記第２の孔の孔ピッチよりも大きいことを特徴とする請求項６記載のコンクリート部材。
【請求項８】
前記コンクリート部は、
板状の底部と、
前記底部の側方から、前記底部の面方向へ突出する側部を有し、
前記継手部材の前記第２の孔は、少なくとも前記底部に埋設され、
前記第１の孔は、前記底部と前記側部とで囲まれた凹部に露出していることを特徴とする請求項５から請求項７のいずれかに記載のコンクリート部材。
【請求項９】
前記コンクリート部には、前記継手部材が複数設けられ、
前記継手部材は、前記底部の縦方向および横方向それぞれに向けて設けられることを特徴とする請求項５から請求項８のいずれかに記載のコンクリート部材。
【発明の詳細な説明】
【技術分野】
【０００１】
本発明は、同種または異種のコンクリートの打ち継ぎ目に使用される継手部材、コンクリート材の接合構造、およびこれを用いた埋設型枠等のコンクリート部材に関するものである。
【背景技術】
【０００２】
従来、コンクリート工事においては、コンクリート工場の日当たり供給量に限界があるため、連続して打設可能なコンクリート構造体の大きさには限界がある。したがって、大規模な工事では、コンクリートを段階的に打設するため、分割打設に伴う打ち継ぎ目の発生は避けることができない。
【０００３】
また、同様に、プレキャストコンクリート材を埋設型枠等として使用し、現場で埋設型枠内にコンクリートを充填打設するような場合にも、プレキャストコンクリート材と現場打ちのコンクリート材との間に打ち継ぎ目が生じる。
【０００４】
打ち継ぎ目は、コンクリート材の不連続面となるため、コンクリート材が本来有する強度よりも劣り、引張力やせん断力等を確実に伝達するためには、打ち継ぎ目の処理が必要である。
【０００５】
このような打ち継ぎ目部の強度低下に対する打ち継ぎ目の処理方法としては、例えば、打ち継ぎ目部の表面に凹凸や突起を設ける方法や、接着剤によって接着する方法があり、また、鉄筋等を打ち継ぎ目を跨ぐように設置して応力伝達を確実に行わせる方法がある。
【０００６】
また、孔あき鋼板を面部とリブ部とを一体に形成してプレキャストコンクリートに埋め、プレキャストコンクリートから露出するリブ部の孔に主筋を挿通して、機械的に本体コンクリートと一体化する埋設型枠がある（特許文献１）。
【０００７】
【特許文献１】特開昭５８−４７８５０号公報
【発明の開示】
【発明が解決しようとする課題】
【０００８】
しかし、打ち継ぎ目部に凹凸や突起を設けても、せん断力の伝達性は向上するものの、引張力の伝達には十分な効果が得られない。また、接着剤を使用した場合は、工数を要するだけでなく、接着剤の経年劣化によって耐久性が劣るという問題がある。また、２種類のコンクリート間に鉄筋を打ち継ぎ目を跨ぐように埋設して引張力を伝達する方法では、鉄筋周面の付着力によってコンクリートへ鉄筋を定着させる必要があるため、鉄筋が打ち継ぎ目位置よりも大きくはみ出し、施工の障害となりやすいという問題がある。また、この場合、せん断力は打ち継ぎ目の摩擦抵抗により伝達するが、その伝達力は極めて小さいという問題がある。
【０００９】
また、特許文献１による埋設型枠では、孔に通された主筋によって、機械的に接合して一体化を行うものであるため、構造が複雑であり、形状にも制約があるという問題がある。
【００１０】
本発明は、このような問題に鑑みてなされたもので、簡易な構造で、同種および異種コンクリートの打ち継ぎ目に使用されて十分な応力伝達を行うことが可能であり、このため打ち継ぎ目の強度低下を抑制することが可能な継手部材、コンクリートの接合構造、およびこれを用いた埋設型枠等のコンクリート部材を提供することを目的とする。
【課題を解決するための手段】
【００１１】
前述した目的を達成するため、第１の発明は、コンクリート材の打ち継ぎ目に用いられる継手部材であって、板状の本体と、前記本体に少なくとも１列に複数並べられて設けられ、第１のコンクリートに埋設される第１の孔と、前記第１の孔が設けられた列に略平行に、少なくとも１列に複数並べて設けられ、第２のコンクリートに埋設される第２の孔とを具備することを特徴とするコンクリート材の打ち継ぎ目に用いられる継手部材である。継手部材に用いられる材料は、鋼材等の金属材料およびＦＲＰ等が利用できる。前記第２のコンクリートは前記第１のコンクリートよりも強度が大きく、前記第１の孔の孔径は、前記第２の孔の孔径よりも大きく、複数の前記第１の孔の孔ピッチは、複数の前記第２の孔の孔ピッチよりも大きくてもよい。
【００１２】
第１の発明によれば、複数の第１の孔と複数の第２の孔とがそれぞれ接合対象のコンクリートに埋設され、継手部材を介してコンクリート同士が接合される。このため、各孔にコンクリートが回りこみ、簡易にコンクリートと継手部材とを一体化させることができ、コンクリート同士の打ち継ぎ目の応力伝達が継手部材を介して十分に確保することができる。したがって、コンクリートの打ち継ぎ目での強度低下を簡易な構造で確実に抑えることができる。
【００１３】
特に、強度の異なる異種コンクリートを接合する場合であっても、それぞれのコンクリートに埋設される継手部材の孔の大きさやピッチが、埋設されるコンクリートの強度に応じて最適に設定されれば、異種コンクリート同士であっても確実に応力伝達を行うことができる。
【００１４】
第２の発明は、複数の第１の孔と複数の第２の孔とを有する継手部材が、第１のコンクリートと第２のコンクリートとの打ち継ぎ目に設けられ、前記第１のコンクリートには複数の第１の孔が埋設され、前記第２のコンクリートには複数の第２の孔が埋設されることを特徴とするコンクリート材の接合構造である。前記第２のコンクリートは、前記第１のコンクリートよりも高強度であり、前記第１の孔の孔径は、前記第２の孔の孔径よりも大きく、複数の前記第１の孔の孔ピッチは、複数の前記第２の孔の孔ピッチよりも大きくてもよい。
【００１５】
第２の発明によれば、第１のコンクリートが第１の孔に回り込み、また、第２のコンクリートが第２の孔に回り込むため、第１のコンクリートと継手部材、および、第２のコンクリートと継手部材とが確実に一体化される。したがって、第１のコンクリートと第２のコンクリートとが一体化され、第１のコンクリートと第２のコンクリートとの打ち継ぎ目の応力伝達が継手部材を介して十分に確保される。したがって、簡易な構造でコンクリートの打ち継ぎ目での強度低下を確実に抑えることができる。
【００１６】
特に、強度の異なる異種コンクリートの接合であっても、それぞれのコンクリートに埋設される継手部材の孔の大きさやピッチが、埋設されるコンクリートの強度に応じて最適に設定されるため、異種コンクリート同士であっても確実に応力伝達を行うことができるコンクリートの接合構造を得ることができる。
【００１７】
第３の発明は、複数の第１の孔と、複数の第２の孔とを有する継手部材と、前記第２の孔が埋設されたコンクリート部とを具備し、前記第１の孔は、前記コンクリートから露出しており、他のコンクリートに埋設可能であることを特徴とするコンクリート部材である。第１および第２の孔径および孔ピッチは接合されるコンクリート強度によってそれぞれ最適値が設定され、同種のコンクリートの接合時には、第１および第２の孔径、孔ピッチはそれぞれ同じでも良い。
【００１８】
前記第２の孔が埋設された前記コンクリート部と、前記第１の孔が埋設される前記他のコンクリートとの強度が異なり、前記第１の孔の孔径と前記第２の孔の孔径が異なり、複数の前記第１の孔の孔ピッチは、複数の前記第２の孔の孔ピッチと異なってもよい。この場合、前記第１の孔の孔径は、前記第２の孔の孔径よりも大きく、複数の前記第１の孔の孔ピッチは、複数の前記第２の孔の孔ピッチよりも大きいことが望ましい。
【００１９】
前記コンクリート部は、板状の底部と、前記底部の側方から、前記底部の面方向へ突出する側部を有し、前記継手部材の前記第２の孔は、少なくとも前記底部に埋設され、前記第１の孔は、前記底部と前記側部とで囲まれた凹部に露出していてもよく、また、前記コンクリート部には、前記継手部材が複数設けられ、前記継手部材は、前記底部の縦方向および横方向それぞれに向けて設けられていてもよい。
【００２０】
第３の発明によれば、複数の第１の孔および第２の孔を有する継手部材が用いられ、第１の孔があらかじめコンクリートに埋設されているため、継手部材とコンクリートとが一体化されており、また、コンクリートから第２の孔が露出しているため、継手部材が埋設されたコンクリートを設置後、さらに第２の孔が埋設するように他のコンクリートを打設することで、簡易にコンクリート同士の応力伝達を確保し、打ち継ぎ目の強度低下を抑えることが可能なコンクリート部材を得ることができる。
【００２１】
例えば、コンクリート部材を埋設型枠として用いれば、現場への設置時には軽量であり、コンクリート打設後には、打設したコンクリートと埋設型枠とが確実に一体化され、強度の高いコンクリート構造体を得ることができる。
【００２２】
また、継手部材が埋設されたコンクリートと、コンクリート部材を設置後に打設するコンクリートとが強度が異なる場合であっても、継手部材の孔の大きさを適正にするのみで、確実にそれぞれのコンクリートの強度に応じた必要な応力伝達力を確保することができる。
【００２３】
また、コンクリート部材には凹部が設けられ、凹部に継手部材の孔が露出しているため、コンクリート部材を設置後に、凹部にコンクリートを充填することで、容易にコンクリート部材と打設コンクリートとを接合することができる。さらに、継手部材が縦横方向に埋設されたコンクリート部材を用いれば、より確実に打設コンクリートとの間で応力伝達を行うことができる。
【発明の効果】
【００２４】
本発明によれば、簡易な構造で、コンクリートの打ち継ぎ目に使用されて十分な応力伝達を行うことが可能であり、このため打ち継ぎ目の強度低下を抑制することが可能な継手部材、コンクリートの接合構造、およびこれを用いた埋設型枠等のコンクリート部材を提供することができる。
【発明を実施するための最良の形態】
【００２５】
以下、本発明の実施の形態にかかる継手板１について説明する。図１（ａ）は、コンクリートの打ち継ぎ目に用いられる継手部材である、継手板１を示す斜視図である。
【００２６】
継手板１は平板状の部材であり、全長にわたり複数の孔３、孔５がそれぞれ１列に略平行に設けられる。継手部材に用いられる材料は、鋼材等の金属材料およびＦＲＰ等が利用できる。継手板１は、異種コンクリートの打ち継ぎ目に使用される継手部材であり、孔３の孔径は、孔５の孔径よりも小さく、また、孔３の孔ピッチ（隣り合う孔３同士の中心点間距離）は、孔５の孔ピッチ（隣り合う孔５同士の中心点間距離）よりも小さい。図１（ｂ）に示す継手板１’は、同種のコンクリートの打ち継ぎ目に使用される継手部材であり、孔３の孔径と孔５の孔径がほぼ同じであり、また、孔３の孔ピッチと孔５の孔ピッチとがほぼ等しい。なお、継手板１の板厚、孔径、孔ピッチ等の関係については後述する。
【００２７】
図２は、継手板１を用いたコンクリートの打設工程を示す図である。まず、図２（ａ）に示すように、コンクリートの打設部位に応じた型枠７を地面９に設置する。打設するコンクリートの打ち継ぎ目の生じる部位には、あらかじめ継手板１が設けられる。図２の例では、継手板１は、孔５が上側の段、孔３が下側の段となるような向きに設置される。
【００２８】
次に、図２（ｂ）に示すように、型枠７の内部にコンクリート１１ａを打設する。コンクリート１１ａは、継手板１の孔３が埋設され、孔５がコンクリート１１ａから露出するような高さまで充填される。孔３はコンクリート１１ａによって埋設され、孔３内にはコンクリート１１ａが回りこむ。すなわち、コンクリート１１ａと継手板１とは一体化される。
【００２９】
次に、図２（ｃ）に示すように、コンクリート１１ａの上にコンクリート１１ｂを打設する。この際、孔５はコンクリート１１ｂによって埋設され、孔５内にコンクリート１１ｂが回りこむ。すなわち、コンクリート１１ｂと継手板１は一体化される。コンクリート１１ａとコンクリート１１ｂとの間には打ち継ぎ目１３が形成される。したがって、打ち継ぎ目１３は、継手板１の孔３と孔５との間に位置する。なお、打ち継ぎ目１３は、継手板１の中央ではなく、孔３側にずれた位置に形成される。すなわち、孔径の小さな孔３側がコンクリート１１ａに埋設される埋設代は、孔径の大きな孔５側がコンクリート１１ｂに埋設される埋設代よりも小さい。
【００３０】
図２に示す例では、コンクリート１１ａは、コンクリート１１ｂよりも高強度な場合を示す。すなわち、強度の低いコンクリート１１ｂに埋設される孔５は、コンクリート１１ｂよりも強度の高いコンクリート１１ａに埋設される孔３よりも孔の径が大きく、孔ピッチが大きい。なお、コンクリート１１ｂがコンクリート１１ａよりも高強度である場合には、継手板１の向きを逆にして、孔５が下側となるように設置すれば良い。また、コンクリート１１ａとコンクリート１ｂの強度が同等であれば、孔３と孔５の孔径および孔ピッチがそれぞれ等しい継手板１’を用いればよい。
【００３１】
強度の異なるコンクリート１１ａおよびコンクリート１１ｂとしては、例えば、低強度のコンクリートとして鉄筋コンクリートを用い、これに対して高強度のコンクリートとして高強度繊維補強コンクリートを使用するような材料組成の差による場合等がある。また、プレキャストコンクリート材と場所打ちコンクリート材などのような圧縮基準強度の差や、コンクリートとモルタルのように粗骨材の有無などの配合の差による場合もある。
【００３２】
さらに、材料組成、配合等が同じコンクリートであっても、高強度コンクリートとして、先行打設コンクリート、低強度コンクリートとして後打設コンクリートである場合もある。この場合、材齢差によって、先行打設コンクリートは高強度であり、後打設コンクリートは、先行打設コンクリートに対して相対的に低強度となる。
【００３３】
図３は、継手板１を用いた他の例であり、コンクリート橋工事において継手板１によりコンクリートの打ち継ぎ目処理を施した例である。図３（ａ）は総支保工架設による箱桁構築の場合を示す図であり、図３（ｂ）は図３（ａ）のＣ−Ｃ断面図である。
【００３４】
大型の構造体の場合には、コンクリートを一度に打設することができず、図３（ａ）に示すように、コンクリート１５ａ、１５ｂに分けて打設される場合がある。このような場合に、打ち継ぎ目１３に継手板１を埋設することで、コンクリート１５ａ、１５ｂが一体化される。なお、図では、コンクリート１５ａは、コンクリート１５ｂよりも強度が高い例を示しているが、同材料であっても施工時期の差による強度差を考慮する場合もあり、または同一強度のコンクリートにおいて、継手板１’を使用することもできる。また、コンクリート１５ａがプレキャスト桁であり、コンクリート１５ｂが場所打ちコンクリートであれば、あらかじめプレキャスト桁に継手板１を埋設しておけばよい。
【００３５】
同様に、図３（ｃ）のようにコンクリート橋で張り出し架設を行う場合にも、継手板１を使用することができる。図３（ｃ）は、コンクリート１７ａ、１７ｂ、１７ｃを順次打設して張り出し架設を行う場合であり、図３（ｄ）は図３（ｃ）のＤ−Ｄ線断面図である。
【００３６】
例えばコンクリート１７ａとコンクリート１７ｂとの接合部では、継手板１ａ、１ｂ、１ｃがそれぞれ打ち継ぎ目１３の面に垂直な向きに埋設される。したがって、コンクリート１７ａと１７ｂとが一体化される。なお、張出し架設の場合には、コンクリート１７ａ、１７ｂ、１７ｃと若材齢時に構築箇所が前方へ進んでいくが、長期的な強度の発現によって、それぞれの材齢差による強度差は小さくなる。したがって、継手板加工の工数等の削減のため、孔３、孔５それぞれの孔径、孔ピッチを若材齢時の低強度側に合わせて等しくしてもよい。すなわち、図３（ｅ）に示すように、高強度側の孔３の孔径、孔ピッチを、低強度側の孔５の孔径、孔ピッチと等しくしてもよい。
【００３７】
次に、継手板１の設計方法について説明する。図４（ａ）は、図２（ｃ）のＡ部拡大図であり、図４（ｂ）は、図４（ａ）のＢ−Ｂ線断面図である。なお、図４において斜線部は継手板１を示す。継手板１の形状は、コンクリート材の強度に応じ、板厚、孔径、孔ピッチが設計される。
【００３８】
継手板１の孔３、５等の設計は、コンクリートのせん断破壊、コンクリートの割裂破壊、継手板のせん断破壊のそれぞれを計算し、その最小値を示す破壊モードが所定の荷重伝達力以上となるように設定される。
【００３９】
コンクリートのせん断破壊は、孔３、孔５それぞれの孔径から算出される孔の面積（図４（ａ）に示すように、それぞれの孔の円の面積Ａ１、Ａ２）の総和とコンクリート強度とから計算される。すなわち、より強度の高いコンクリートに埋設される部位においては、孔３によって形成される面積Ａ２（円形の面積）の総和を小さくすることができる。逆にコンクリートの強度が弱い場合には、孔５の面積Ａ１の総和を大きくする（すなわち孔径を大きくして孔の面積を増やす）必要がある。
【００４０】
コンクリートの割裂破壊は、孔３、孔５それぞれの孔径と継手板１の厚さとの積から算出される孔の断面積（図４（ｂ）に示すように、それぞれの孔の四角形状の面積Ａ３、Ａ４）の総和とコンクリート強度とから計算される。すなわち、より強度の高いコンクリートに埋設される部位においては、孔３によって形成される断面積Ａ４（四角形の面積）の総和を小さくすることができる。逆にコンクリートの強度が弱い場合には、孔５の面積Ａ３の総和を大きくする（すなわち孔径を大きくするか、継手板１の厚みを増す）必要がある。
【００４１】
継手板１のせん断破壊は、孔３、孔５それぞれの孔間距離（図４（ａ）のＬ１、Ｌ２）と継手板１の厚さとの積から算出される断面積の総和から計算される。継手板１のせん断破壊は、コンクリート強度とは無関係であるため、継手板１の厚さを一定とすれば、Ｌ１の総和とＬ２の総和が等しければ、孔５側と孔３側の継手板１のせん断強度は同一となる。
【００４２】
継手板１の設計は、上述の強度を考慮し、最も効率の良い形状で設計される。したがって、強度の大きなコンクリートに埋設される部位の孔３の大きさはできるだけ小さくすることで、継手板１のサイズを小さくすることができ、コンクリートへの継手板１の埋設代を小さくすることができる。一方、コンクリートの割裂破壊を考慮すると、適切な継手板１の厚さを設定する必要がある。また、継手板１のせん断破壊を考慮すると、孔間の距離（孔径と孔ピッチ）を適切に設定する必要がある。このため、通常、より強度の大きなコンクリートに埋設される孔のサイズは小さくし、また孔ピッチも小さくすることが望ましい。
【００４３】
このように本発明の実施形態にかかる継手板１によれば、コンクリートの打ち継ぎ目に用いることで、簡易な構造で、両コンクリート間の応力を確実に伝達することが可能となる。このため、複数回に分けて打設が行われるような大型のコンクリート構造物であっても、打ち継ぎ目を一体化することができ、打ち継ぎ目の強度低下を抑え、耐久性に優れるコンクリートの接合構造を得ることができる。
【００４４】
また、特に材質の異なるコンクリートの打ち継ぎ目であっても、使用されるコンクリートに応じて、孔径や孔ピッチなどの継手板１の形状を適正にすることで、打ち継ぎ目部において発生する引張力やせん断力を両コンクリート間で確実に伝達でき、材質の異なるコンクリート材を確実に接合して一体化することが可能である。
【００４５】
次に、本発明の第２の実施の形態にかかるプレキャスト床版２０について説明する。なお、以下の実施の形態において、図１に示す継手板１と同一の機能を果たす構成要素には、図１と同一番号を付し重複した説明を省略する。図５（ａ）は第２の実施の形態にかかるプレキャスト床版２０を示す斜視図であり、図５（ｂ）は、図５（ａ）のＥ−Ｅ線斜視図である。コンクリート部材であるプレキャスト床版２０は、本体に複数の継手板１が埋設された構造である。
【００４６】
プレキャスト床版２０は、底部２５と底部２５を囲むように上方に突出する側部２３を有する。したがって、プレキャスト床版２０には、底部２５および側部２３とで囲まれた凹部２７が形成される。プレキャスト床版２０の材質としては、繊維補強コンクリートやプレストレストコンクリート（ＰＣ）などが使用できる。プレキャスト床版２０は箱状の形状であり、複数の継手板１が互いに略平行に埋設されている。なお、プレキャスト床版２０の形状は、図５に示した形状に限られず、プレキャスト床版として使用可能な形状であれば良い。
【００４７】
継手板１の孔３が設けられた範囲はプレキャスト床版２０に埋設されて一体化されている。箱状のプレキャスト床版２０の開口方向（図５（ｂ）上方）には、継手板１の孔５が設けられた部分が露出している。すなわち、孔５は凹部２７で露出している。なお、継手板１は、プレキャスト床版２０の凹部２７の方向以外には露出しない。
【００４８】
図６は、プレキャスト床版２０を用いたコンクリート構造体を示す図である。プレキャスト床版２０は、凹部２７を上にして設置される。次いで、プレキャスト床版２０の凹部２７内へコンクリート２９を打設する。この際、プレキャスト床版２０から露出していた孔５にはコンクリート２９が回りこみ、継手板１とコンクリート２９とが一体化される。したがって、プレキャスト床版２０とコンクリート２９とが一体化され、プレキャスト床版２０とコンクリート２９との境界での応力伝達が確保され、一体化された断面として機能する。なお、充填されるコンクリート２９としては、例えば、市販のレディミクストコンクリートなど、プレキャスト床版２０よりも強度の小さいものが使用できる。
【００４９】
第２の実施の形態にかかるプレキャスト床版２０によれば、プレキャスト床版２０とコンクリート２９とを確実に一体化することができる。このため、簡易な接合構造で、プレキャスト床版２０とコンクリート２９との境界での応力伝達を確保し、境界での強度低下を抑え、耐久性に優れ、建築現場等で効率良く床版構築を実現するプレキャスト床版を得ることができる。
【００５０】
特に、打設するコンクリート２９とプレキャスト床版２０とのコンクリートは、強度に違いがある異種コンクリートであるが、孔３、孔５の径やピッチが、それぞれのコンクリートの強度に適したものであるため、コンクリート２９とプレキャスト床版２０とで確実に応力伝達を行うことができる。
【００５１】
次に、本発明の第３の実施の形態にかかる埋設型枠５０について説明する。図７は第３の実施の形態にかかる埋設型枠５０を示す斜視図である。コンクリート部材である埋設型枠５０は、柱状のコンクリート構造体を効率的に構築することが可能であり、板状の本体５１に複数の継手板１が埋設された構造である。
【００５２】
埋設型枠５０には、本体５１の全長にわたって、複数の継手板１が略平行に設けられる。継手板１のたとえば孔３は本体５１に埋設されており、孔５は本体５１から露出している。なお、本体５１への継手板１の埋設代は、本体５１の厚みよりも小さい。したがって、本体５１の孔５が露出する側とは反対面には、継手板１が露出することがない。
【００５３】
次に、埋設型枠５０を使用したコンクリートの打設方法について説明する。図８は、埋設型枠５０を用いたコンクリート躯体の構築方法を示す図である。
【００５４】
まず、図８（ａ）に示すように、コンクリートの打設部位に対応する位置に埋設型枠５０を設置する。例えば、埋設型枠５０を４枚並べて、矩形の枠体となるように埋設型枠５０を配置する。この際、埋設型枠５０の向きは、枠体の内側に継手板１の孔５が露出するようにする。
【００５５】
次に、図８（ｂ）に示すように、埋設型枠５０で囲まれた空間にコンクリート５３を打設する。この際、埋設型枠５０から露出している孔５は、コンクリート５３に埋設され、孔５の内部にはコンクリート５３が回りこむ。したがって、コンクリート５３と継手板１とが一体化される。
【００５６】
埋設型枠５０には、あらかじめ継手板１が埋設されており、一体化されている。したがって、埋設型枠５０へコンクリート５３を充填すると、埋設型枠５０とコンクリート５３との間で十分に応力が伝達され、埋設型枠５０とコンクリート５３とが一体化された断面として機能する。すなわち埋設型枠は柱状のコンクリート構造体の一部として構造的に評価することができる。
【００５７】
なお、コンクリート５３を打ち継ぐ場合には、図８（ｃ）に示すように、コンクリート５３ａ、５３ｂの打ち継ぎ目部に、継手板１を埋設すればよい。この場合、まず、埋設型枠５０を型枠としてコンクリート５３ａを打設する。この際、継手板１をコンクリート５３ａへ埋設しておく。次に、コンクリート５３ａ上に埋設型枠５０を型枠としてコンクリート５３ｂを打設する。コンクリート５３ｂ打設時にも、必要に応じて継手板１を埋設する。なお、コンクリート５３ａ、５３ｂの打ち継ぎ目に使用される継手板１の孔３および孔５それぞれの孔径および孔ピッチはそれぞれ等しくすることができ、または、材齢差に応じて変えることもできる。
【００５８】
第３の実施の形態にかかる埋設型枠５０によれば、埋設型枠５０とコンクリート５３とが確実に一体化することができる。このため、簡易な構造で、埋設型枠５０とコンクリート５３との境界での応力伝達を確保し、境界での強度低下を抑え、耐久性に優れる埋設型枠を得ることができる。
【００５９】
次に、本発明の第４の実施の形態にかかる埋設型枠３０について説明する。図９（ａ）は第４の実施の形態にかかる埋設型枠３０を示す斜視図であり、図９（ｂ）は、図９（ａ）のＦ−Ｆ線断面図、図９（ｃ）は図９（ａ）のＧ−Ｇ線断面図である。コンクリート部材である埋設型枠３０は、梁状のコンクリート構造体を効率的に構築する部材であり、板状の本体３１に複数の継手板１が埋設された構造である。
【００６０】
複数の継手板１ｄは本体３１の幅方向に、互いに略平行に本体３１埋設されている。継手板１ｅは、継手板１ｄに直交するように、本体３１の長手方向に略平行に複数設けられ、本体３１に埋設されている。
【００６１】
継手板１ｄ、１ｅのそれぞれの孔３が設けられた範囲は埋設型枠３０の本体３１に埋設されて一体化されている。埋設型枠３０の上方には、継手板１の孔５が設けられた部分が露出している。すなわち、継手板１ｄ、１ｅの孔５は本体３１から露出している。なお、継手板１ｄ、１ｅは、埋設型枠３０の上方以外には露出しない。
【００６２】
図１０は、埋設型枠３０を用いたコンクリート構造体である鉄筋コンクリート梁を構築する方法を示す図である。図１０（ａ）に示すように、まず埋設型枠３０が複数並べて設置される。埋設型枠３０の上方には、鉄筋４１ａ、４１ｂが設置される。埋設型枠３０の側方は、埋設型枠３０を囲うように、鉄筋４１ａ、４１ｂの設置高さよりも高い、前述した埋設型枠５０が設けられる。
【００６３】
次いで、図１０（ｂ）に示すように、埋設型枠５０で囲まれた、埋設型枠３０上にコンクリート４３を充填し、鉄筋４１ａ、４１ｂが埋設される高さまでコンクリート４３が打設される。この際、埋設型枠３０から露出していた孔５にはコンクリート４３が回りこみ、継手板１とコンクリート４３とが一体化される。また、埋設型枠５０から露出していた孔５にはコンクリート４３が回りこみ、継手板１とコンクリート４３とが一体化される。したがって、埋設型枠３０および埋設型枠５０とコンクリート４３とが一体化され、埋設型枠３０および埋設型枠５０とコンクリート４３との境界での応力伝達が確保され、一体化された断面として機能する。すなわち、埋設型枠は梁状の鉄筋コンクリート構造体の一部として構造的に評価することができる。
【００６４】
第４の実施の形態にかかる埋設型枠３０によれば、埋設型枠３０とコンクリート４３とを確実に一体化することができる。このため、鉄筋４１ａ、４１ｂ等が内蔵される鉄筋コンクリートである場所打ちコンクリート構造体を効率的に構築することができる。この際、側型枠、底型枠に埋設型枠を用いるため、型枠解体作業を行う必要がない。また、埋設型枠３０とコンクリート４３との境界での応力伝達を確保し、境界での強度低下を抑え、耐久性に優れる埋設型枠を得ることができる。特に、打設するコンクリート４３と埋設型枠３０の本体のコンクリートは、強度に違いがある異種コンクリートであるが、それぞれのコンクリートの強度に適した孔３、孔５の径やピッチであるため、確実に応力伝達を行うことができる。
【００６５】
以上、添付図を参照しながら、本発明の実施の形態を説明したが、本発明の技術的範囲は、前述した実施の形態に左右されない。当業者であれば、特許請求の範囲に記載された技術的思想の範疇内において各種の変更例または修正例に想到し得ることは明らかであり、それらについても当然に本発明の技術的範囲に属するものと了解される。
【００６６】
例えば、継手板１に設けられる孔３、孔５の数や配置等は本実施の形態に限られない。たとえば、接合するコンクリートによっては、孔３と孔５とが同じ大きさである場合もあり、また、孔３、孔５はそれぞれ１列ではなく、複数列に設けられる場合もある。
【図面の簡単な説明】
【００６７】
【図１】継手板１を示す斜視図。
【図２】継手板１を用いてコンクリート１１ａ、１１ｂを接合する工程を示す図。
【図３】継手板１を用いた他の実施例を示す図。
【図４】継手板１の設計方法を示す図。
【図５】プレキャスト床版２０を示す図で、（ａ）は斜視図、（ｂ）は（ａ）のＡ−Ａ線断面図。
【図６】プレキャスト床版２０へコンクリート２９を打設した状態を示す図。
【図７】埋設型枠５０を示す斜視図。
【図８】埋設型枠５０を用いた柱状コンクリート構造体の施工方法を示す図で、（ａ）は埋設型枠５０を設置した状態を示す図、（ｂ）はコンクリート５３を打設した状態を示す図、（ｃ）はコンクリート５３の打ち継ぎ目に継手板１を埋設した状態を示す図。
【図９】埋設型枠３０を示す図で、（ａ）は斜視図、（ｂ）は（ａ）のＦ−Ｆ線断面図、（ｃ）は（ａ）のＧ−Ｇ線断面図。
【図１０】埋設型枠３０を用いた梁状コンクリート構造体の施工方法を示す図で、（ａ）は埋設型枠３０を設置した状態を示す図、（ｂ）はコンクリート４３を打設した状態を示す図。
【符号の説明】
【００６８】
１………継手板
３………孔
５………孔
７………型枠
９………地面
１１ａ、１１ｂ、１５ａ、１５ｂ、１７ａ、１７ｂ、１７ｃ………コンクリート
１３………打ち継ぎ目
２０………プレキャスト床版
２３………側部
２５………底部
２７………凹部
２９………コンクリート
３０………埋設型枠
３１………本体
４１ａ、４１ｂ………鉄筋
４３………コンクリート
５０………埋設型枠
５１………本体
５３………コンクリート
【図１】
2010053554.tif 000003
【図２】
2010053554.tif 000004
【図３】
2010053554.tif 000005
【図４】
2010053554.tif 000006
【図５】
2010053554.tif 000007
【図６】
2010053554.tif 000008
【図７】
2010053554.tif 000009
【図８】
2010053554.tif 000010
【図９】
2010053554.tif 000011
【図１０】
2010053554.tif 000012